(57)【要約】【課題】圧延された鋼板を冷却中にテーブルロール冷却水の鋼板温度への影響を抑える。【解決手段】鋼板１５１の進行方向に沿って配置された複数の冷却水開閉装置１７２を備えるテーブルロール冷却装置１７１によって冷却される、複数のテーブルロール１７０から構成されるランアウトテーブルを搬送される圧延された冷却中の鋼板１５１の先端の位置情報から、複数のテーブルロール１７０の冷却を開始するタイミングを決定する。次に、決定された冷却を開始するタイミングで、開モード優先順位格納部１０５に格納された、複数のテーブルロール１７０の冷却開始時に複数の冷却水開閉装置１７２を開いて冷却水を放出するための優先順位に従って、一定条件の時間間隔で、複数の冷却水開閉装置１７２を開いていく。【選択図】図１
2015093301.tif 000002
【特許請求の範囲】
【請求項１】
熱間圧延機で圧延された鋼板を該熱間圧延機の出側に設けられた鋼板冷却装置で冷却中に搬送するランアウトテーブルを構成する複数のテーブルロールに対し前記鋼板の進行方向に沿って配置された、複数の冷却水開閉装置を備えるテーブルロール冷却装置を制御対象とし、前記鋼板の先端の位置情報から、前記複数のテーブルロールの冷却を開始するタイミングを決定する開モード開始タイミング決定部と、
前記複数のテーブルロールの冷却開始時に前記複数の冷却水開閉装置を開いて冷却水を放出するための第１の優先順位を記憶する開モード優先順位格納部と、
前記開モード開始タイミング決定部が決定した前記冷却を開始するタイミングで、前記開モード優先順位格納部から取り込んだ前記第１の優先順位に従って、一定条件の時間間隔で、前記複数の冷却水開閉装置を開く制御を行うテーブルロール冷却水制御部と、
を備える熱間圧延制御装置。
【請求項２】
前記制御対象から取り込んだ前記鋼板の尾端の位置情報から、前記複数のテーブルロールの冷却終了処理を開始するタイミングを決定する閉モード開始タイミング決定部と、
前記複数のテーブルロールの冷却終了処理時に前記複数の冷却水開閉装置を閉じて冷却水の放出を停止するための第２の優先順位を記憶する閉モード優先順位格納部と、を更に備え、
前記テーブルロール冷却水制御部は、前記閉モード開始タイミング決定部が決定した前記冷却終了処理を開始するタイミングで、前記閉モード優先順位格納部から取り込んだ前記第２の優先順位に従って一定条件の時間間隔で、前記複数の冷却水開閉装置を閉じる制御を行う
請求項１に記載の熱間圧延制御装置。
【請求項３】
前記一定条件の時間間隔として、前記第１の優先順位に基づいて前記冷却水開閉装置を開いた後、次の優先順位の前記冷却水開閉装置を開くまでの時間と、前記第２の優先順位に基づいて前記冷却水開閉装置を閉じた後、次の優先順位の前記冷却水開閉装置を閉じるまでの時間と、が予め定められている
請求項２に記載の熱間圧延制御装置。
【請求項４】
前記一定条件の時間間隔は、前記鋼板の巻取り温度と目標値との偏差が許容値より小さくなるまでの時間である
請求項２に記載の熱間圧延制御装置。
【請求項５】
前記開モード優先順位格納部は、少なくとも前記鋼板の鋼種または板厚を含む１以上の鋼板情報で層別された前記複数の冷却水開閉装置を開く順序を記憶し、前記閉モード優先順位格納部は、少なくとも前記鋼板の鋼種または板厚を含む１以上の鋼板情報で層別された前記複数の冷却水開閉装置を閉じる順序を記憶している
請求項２に記載の熱間圧延制御装置。
【請求項６】
前記第１の優先順位に基づいて前記冷却水開閉装置を開いた後、次の優先順位の前記冷却水開閉装置を開くまでの時間と、前記第２の優先順位に基づいて前記冷却水開閉装置を閉じた後、次の優先順位の前記冷却水開閉装置を閉じるまでの時間は、少なくとも前記鋼板の鋼種または板厚を含む１以上の鋼板情報で層別されている
請求項３に記載の熱間圧延制御装置。
【請求項７】
開モード開始タイミング決定部により、鋼板の進行方向に沿って配置された複数の冷却水開閉装置を備えるテーブルロール冷却装置によって冷却される、複数のテーブルロールから構成されるランアウトテーブルを搬送される圧延された冷却中の前記鋼板の先端の位置情報から、前記複数のテーブルロールの冷却を開始するタイミングを決定し、
テーブルロール冷却水制御部により、前記開モード開始タイミング決定部が決定した前記冷却を開始するタイミングで、開モード優先順位格納部に格納された、前記複数のテーブルロールの冷却開始時に前記複数の冷却水開閉装置を開いて冷却水を放出するための優先順位に従って、一定条件の時間間隔で、前記複数の冷却水開閉装置を開いていく
熱間圧延制御方法。
【発明の詳細な説明】
【技術分野】
【０００１】
本発明は、熱間圧延設備におけるランアウトテーブル（以下「ＲＯＴ」と記すことがある）のテーブルロールの冷却制御に適用して好適な熱間圧延制御装置及び熱間圧延制御方法に関する。
【背景技術】
【０００２】
ＲＯＴのテーブルロールの冷却方式には、テーブルロールの内部に冷却水を循環させる内部水冷と、外部からテーブルロールに水を吹きかける外部水冷とがある。内部水冷のシステムは高価であるため、通常は、温度計等の計測器の設置位置の近傍にあるテーブルロールのみ内部水冷とし、他のテーブルロールは外部水冷とすることが多い。しかし、外部水冷の水しぶきによる環境悪化により、鋼板の先端を検出するトラッキングセンサが誤動作する恐れがある。このため、鋼板の先端がダウンコイラに巻付いてから外部冷却水を噴射し、鋼板の尾端が仕上げミルを抜ける前に外部冷却水を停止する方法が一般的である。しかし、圧延中のテーブルロールに対する冷却水の噴射及び停止の切り替えによって、ダウンコイラに巻き取られる直前の鋼板の温度（巻取り温度）がばらつくという問題があった。
【０００３】
巻取り温度のばらつきを考慮してＲＯＴのテーブルロールの冷却を行う従来方法として、例えば特許文献１に記載の技術がある。特許文献１には、複数のゾーンに分割されたテーブルロールの各ゾーンについて、鋼板の先端部が通過したゾーンから順にテーブルロールに対する冷却水の噴射を開始し、テーブルロール冷却水の噴射に合わせて鋼板冷却設備の注水量を減らし、巻取り温度の低下を防ぐ手法が示されている。
【先行技術文献】
【特許文献】
【０００４】
【特許文献１】特開平９−１０８１２号公報
【発明の概要】
【発明が解決しようとする課題】
【０００５】
しかしながら、特許文献１に記載された手法には、以下の問題があった。鋼板の先端部が通過したゾーンから単に順番にテーブルロール冷却水の噴射を開始すると、鋼板の先端部（先端から一定長さの部分）が、テーブルロール冷却水が当たる領域と当たらない領域とに分れる。その結果、両方の領域の間で巻取り温度が大きく変化する。鋼板冷却設備の注水量を減らすことでこの温度変化を補償する特許文献１の方法を良好に適用するためには、注水量と温度低下の関係を精度良く把握した上で、注水量の減らす量を適切な値とし、かつ減らすタイミングをテーブルロール冷却水が巻取り温度に及ぼす影響に同期させる必要がある。さらに鋼板温度に与えるテーブルロール冷却水の効果と鋼板を冷却する冷却設備からの注水の効果は互いに干渉する関係にあるため、テーブルロール冷却水と注水を実施した場合とそれぞれを単独に実施した場合とで鋼板温度の変化が異なる点への配慮も必要になる。
【０００６】
しかしながら、一般にこれらは容易に実現できないため、特許文献１に記載された手法では鋼板の巻取り温度がばらつくという問題があった。
【０００７】
上記の状況から、圧延された鋼板を冷却中にテーブルロール冷却水の鋼板温度への影響を抑えることが望まれていた。
【課題を解決するための手段】
【０００８】
本発明の一態様において、開モード開始タイミング決定部により、鋼板の進行方向に沿って配置された複数の冷却水開閉装置を備えるテーブルロール冷却装置によって冷却される、複数のテーブルロールから構成されるランアウトテーブルを搬送される圧延された冷却中の鋼板の先端の位置情報から、複数のテーブルロールの冷却開始のタイミングを決定する。
次に、テーブルロール冷却水制御部により、開モード開始タイミング決定部が決定した冷却開始のタイミングで、開モード優先順位格納部に格納された、複数のテーブルロールの冷却開始時に複数の冷却水開閉装置を開いて冷却水を放出するための優先順位に従って、一定条件の時間間隔で、複数の冷却水開閉装置を順番に開いていく。
【発明の効果】
【０００９】
本発明の少なくとも一態様によれば、複数のテーブルロールの冷却開始時に複数の冷却水開閉装置を開く優先順位を記憶しておき、その優先順位に従って、一定条件の時間間隔で、複数の冷却水開閉装置を順番に開くようにしている。このように、複数の冷却水開閉装置を、鋼板温度への影響に配慮した優先順位及び時間間隔に基づいてシーケンシャルに開くことにより、圧延された鋼板を冷却中にテーブルロール冷却水の鋼板温度への影響が抑えられる。
【図面の簡単な説明】
【００１０】
【図１】本発明の第１の実施の形態に係る熱間圧延システムの構成例を示した説明図である。
【図２】図１の開モード優先順位格納部の構成例を示した説明図である。
【図３】図１の閉モード優先順位格納部の構成例を示した説明図である。
【図４】図１の開モードインターバル格納部の構成例を示した説明図である。
【図５】図１の閉モードインターバル格納部の構成例を示した説明図である。
【図６】図１の開モード開始タイミング決定部の処理を示すフローチャートである。
【図７】図１の閉モード開始タイミング決定部の処理を示すフローチャートである。
【図８】図１のテーブルロール冷却水制御部の処理を示すフローチャートである。
【図９】本発明の第２の実施の形態に係る熱間圧延システムの構成例を示した説明図である。
【図１０】図９のテーブルロール冷却水制御部の処理を示すフローチャートである。
【図１１】図９の開モード優先順位格納部の構成例を示した説明図である。
【図１２】図９の閉モード優先順位格納部の構成例を示した説明図である。
【図１３】コンピュータのハードウェア構成の一例を示すブロック図である。
【発明を実施するための形態】
【００１１】
以下、本発明を実施するための形態の例について、添付図面を参照しながら説明する。説明は下記の順序で行う。なお、各図において共通の構成要素には、同一の符号を付して重複する説明を省略する。
１．第１の実施の形態（インターバル格納部を備える例）
２．第２の実施の形態（巻取り温度偏差算出部を備える例）
３．第３の実施の形態（冷却水開閉装置番号に同一の優先順位を付与した例）
４．その他
【００１２】
＜１．第１の実施の形態＞
図１は、本発明の第１の実施の形態に係る熱間圧延システム１の構成例を示した説明図である。
熱間圧延システム１は、熱間圧延制御装置１００と、制御対象１５０とから構成される。熱間圧延制御装置１００は、制御対象１５０から種々の信号を受信し、受信した信号に基づいて制御信号を生成して制御対象１５０に出力する。
【００１３】
まず制御対象１５０の構成例を説明する。
本実施の形態において、制御対象１５０はいわゆるランアウトテーブル（ＲＯＴ）と呼ばれる熱間圧延システム１の巻取り温度制御ラインである。巻取り温度制御ラインでは、熱間圧延機１５２のミル１５３で圧延された例えば８５０℃〜９５０℃の温度の鋼板１５１を、鋼板１５１の上側から水冷するラミナー冷却装置１６０と下側から冷却するスプレー冷却装置１６３で冷やし、ダウンコイラ１５７で巻取る。ラミナー冷却装置１６０とスプレー冷却装置１６３は、鋼板冷却装置の一例である。
【００１４】
ラミナー冷却装置１６０及びスプレー冷却装置１６３は、水を放出する冷却ヘッダー１６２が一定本数組み合わされたバンク１６１を複数個、それぞれ備えている。実際のラミナー冷却装置１６０及びスプレー冷却装置１６３のバンク１６１は、テーブルロール１７０の間に配置される。
【００１５】
鋼板１５１は、ＲＯＴ上で多数のテーブルロール１７０で支えられながら搬送される。テーブルロール１７０が、鋼板１５１との接触によって高温になることが繰り返されると、テーブルロール１７０にひび割れが発生する。そこで、テーブルロール１７０の高寿命化のため、テーブルロール冷却装置１７１により冷却が施される。多数のテーブルロール１７０は鋼板１５１の進行方向において複数のゾーンに分割され、ゾーン毎に各冷却水開閉装置１７２が配置されている。
【００１６】
テーブルロール冷却装置１７１は、冷却水開閉装置１７２のバルブを開閉することで各ゾーンの冷却水の噴射及び停止を切り替える。図１は、多数のテーブルロール１７０が１０のゾーンにグルーピングされ、テーブルロール冷却装置１７１が１０台の冷却水開閉装置１７２で構成された例を示している。１０台の冷却水開閉装置１７２に対し、熱間圧延機１５２側からダウンコイラ１５７に向かって番号（♯１〜♯１０）を付している。以下では、冷却水開閉装置１７２のバルブを開閉することを「冷却水開閉装置１７２を開閉する」と記す。
【００１７】
鋼板１５１に対する圧延荷重を測定する計測器として、熱間圧延機１５２のミル１５３の上部に、ロードセル１５３ｗが備えられている。ロードセル１５３ｗは、鋼板１５１に対する圧延荷重を測定し、測定値が予め設定した閾値を超えたかどうかで圧延中かどうか（すなわち鋼板１５１の有無）を検知する。そして、ロードセル１５３ｗは、検知結果を熱間圧延制御装置１００の実績収集部１０２に出力する。
【００１８】
ミル出側温度計１５４は、熱間圧延機１５２で圧延された直後の鋼板１５１の温度を計測し、計測結果を熱間圧延制御装置１００の実績収集部１０２に出力する。
【００１９】
巻取り温度計１５５は、ダウンコイラ１５７で巻取る直前の鋼板１５１の温度を計測し、熱間圧延制御装置１００の実績収集部１０２に出力する。さらに、ＲＯＴ上に複数配置されたＨＭＤ（Hot Metal Detecter）１５６（図１では１個のみ記載）は、鋼板１５１の先端や尾端の通過を検知するセンサである。このようなセンサは、トラッキングセンサとも呼ばれる。ＨＭＤ１５６は、鋼板１５１の先端や尾端の通過を検知したときに出力をオンし、通過を検知しないとき出力はオフである。
【００２０】
巻取り温度制御の目的は、鋼板１５１の巻取り温度を目標温度に一致させることである。目標温度は、鋼板１５１の長手方向で一定の場合もあるが、先端や尾端をやや高い温度に設定するなど、各部位に応じて異なった値を設定することもある。
【００２１】
次に、熱間圧延制御装置１００の構成例を示す。
熱間圧延制御装置１００には、ミル１５３の圧下位置やロール速度の計算を始めとしたさまざまな演算及び制御機能が備えられるが、本実施の形態例では、テーブルロール冷却装置１７１に関わる機能に限定して説明する。
【００２２】
熱間圧延制御装置１００は、上位計算機５０と接続されている。熱間圧延制御装置１００は、指令受信部１０１と、実績収集部１０２と、開モード開始タイミング決定部１０３と、閉モード開始タイミング決定部１０４とを備える。さらに熱間圧延制御装置１００は、開モード優先順位格納部１０５と、閉モード優先順位格納部１０６と、開モードインターバル格納部１０７と、閉モードインターバル格納部１０８と、テーブルロール冷却水制御部１１０とを備える。
【００２３】
指令受信部１０１は、上位計算機５０から、冷却される鋼板１５１の鋼種や板厚、板幅等の仕様情報、巻取り温度の目標温度などを受信する。
【００２４】
実績収集部１０２は、制御対象１５０から種々の信号を取り込む。例えば、鋼板１５１の速度、ロードセル１５３ｗによる鋼板１５１の有無の検知結果、ＨＭＤ１５６のオンオフ情報、ミル出側温度計１５４で計測したミル出側温度、巻取り温度計１５５で計測した巻取り温度等を取り込む。
【００２５】
開モード開始タイミング決定部１０３は、制御対象１５０から取り込んだ鋼板１５１の先端の位置情報に基づいて、テーブルロール冷却装置１７１の冷却水開閉装置１７２がテーブルロール１７０の冷却を開始（開モード開始）するタイミングを決定する。
【００２６】
閉モード開始タイミング決定部１０４は、各制御対象１５０から取り込んだ鋼板１５１の尾端の位置情報に基づいて、冷却水開閉装置１７２の冷却終了処理を開始（閉モード開始）するタイミングを決定する。
【００２７】
開モード優先順位格納部１０５は、各冷却水開閉装置１７２を開いて冷却水を放出するための順序（優先順位）を記憶する。
【００２８】
閉モード優先順位格納部１０６は、各冷却水開閉装置１７２を閉じて冷却水の放出を停止するための順序（優先順位）を記憶する。
【００２９】
開モードインターバル格納部１０７は、各冷却水開閉装置１７２を開いていくときの優先順位間の時間間隔を記憶する。
【００３０】
閉モードインターバル格納部１０８は、各冷却水開閉装置１７２を閉じていくときの優先順位間の時間間隔を記憶する。
【００３１】
テーブルロール冷却水制御部１１０は、指令受信部１０１からテーブルロール１７０の冷却制御の指令を受信すると、開モード開始タイミング決定部１０３により決定されたタイミングに従い、冷却水開閉装置１７２によるテーブルロール１７０の冷却を開始する。このとき、テーブルロール冷却水制御部１１０は、開モード優先順位格納部１０５及び開モードインターバル格納部１０７に格納された設定値を読み込んで、冷却水開閉装置１７２を開いていく。
【００３２】
また、テーブルロール冷却水制御部１１０は、閉モード開始タイミング決定部１０４より決定されたタイミングに従い、冷却水開閉装置１７２によるテーブルロール１７０の冷却終了処理を開始する。このとき、テーブルロール冷却水制御部１１０は、閉モード優先順位格納部１０６及び閉モードインターバル格納部１０８に格納された設定値を読み込んで、冷却水開閉装置１７２を閉じていく。
【００３３】
巻取り温度の許容値は鋼板１５１の冷却仕様により異なり、テーブルロール冷却水の鋼板温度に与える影響も、鋼板１５１の冷却仕様、板厚、鋼板速度により異なる。鋼板速度は、一般に板厚及びその他の条件からモデル計算により求められる。このため、優先順位やインターバルは、鋼板１５１の仕様に従って適切な値を、各格納部に格納することが望ましい。本実施の形態では、少なくとも鋼板１５１の鋼種または板厚を含む１以上の鋼板情報で層別された冷却水開閉装置１７２を開く順序、閉じる順序、開く又は閉じる時間間隔が、各格納部に格納されている。
【００３４】
図２は、開モード優先順位格納部１０５の構成例を示した説明図である。
鋼種、板厚および♯１〜♯１０の冷却水開閉装置１７２に対して、冷却水開閉装置１７２が開放される（開く）ときの各冷却水開閉装置１７２の優先順位が記憶されている。ここでは優先順位は数字が小さいほど高い。図２では、鋼種として、ＳＳ鋼とＤＰ（Dual Phase）鋼を例に挙げている。ＤＰ鋼は、軟らかい金属組織と硬い金属組織とが並存している二相タイプの鋼材で、高い引張り強度を持つ高張力鋼である。ここでは、ＳＳ鋼の一例としてＳＳ４００、ＤＰ鋼としてＤＰ−１を例示するが、その他の金属板にも適用できることは勿論である。
【００３５】
例えば、鋼種がＳＳ４００、板厚１．２〜２．０ｍｍのとき、ダウンコイラ１５７に最も近い＃１０の冷却水開閉装置１７２の優先順位が最も高く設定されており、最初に閉じられることを示している。さらに＃４の冷却水開閉装置１７２の優先順位が７、＃３の冷却水開閉装置１７２の優先順位が８、＃２の冷却水開閉装置１７２の優先順位が９、＃４の冷却水開閉装置１７２の優先順位が１０に設定されており、熱間圧延機１５２に近い冷却水開閉装置１７２ほど低い優先順位が設定され、遅く開かれることを示している。このように薄板の鋼板１５１では、テーブルロール冷却水が鋼板巻取り温度に与える影響が大きいため、冷却水開閉装置１７２に対してダウンコイラ１５７に近い順に高い優先準位を付与する。それにより、鋼板１５１の先端部に近いほどテーブルロール冷却水が噴射される時間が短くなり、この影響を緩和（最小化）することができる。なお、この場合には、テーブルロール冷却水の鋼板１５１の長手方向への影響範囲は広くなる傾向にある。
【００３６】
一方、板厚１２．０〜１７．０ｍｍのＳＳ４００では、テーブルロール冷却水の影響が薄板の場合と比較して小さい。そこで、ミル１５３側から冷却水開閉装置１７２を開いて、テーブルロール冷却水の鋼板１５１の長手方向への影響範囲を狭くするようにしている。
【００３７】
またＤＰ鋼では、ラミナー冷却装置１６０とスプレー冷却装置１６３のうち、ミル１５３に近い冷却ヘッダー１６２とダウンコイラ１５７に近い冷却ヘッダー１６２のみが開放され、中間温度での空冷保持時間を確保するため中間の冷却ヘッダー１６２は閉鎖される。
【００３８】
ＤＰ鋼ではＤＰ−１のように、＃３、＃４の中間位置の冷却水開閉装置１７２が先に開かれ、次にダウンコイラ１５７に近い＃１０の冷却水開閉装置１７２が開かれ、その後ミル１５３に近い＃１、＃２の冷却水開閉装置１７２が開かれる。ＤＰ鋼のような制御の困難性の高い特殊冷却鋼では、鋼板温度への影響の大きい空冷部（中間部分）に対応した冷却水開閉装置１７２を先に開くことで、温度制御への外乱要因を早期に終了させる制御を行う。
【００３９】
図３は、閉モード優先順位格納部１０６の構成例を示した説明図である。
鋼種、板厚および♯１〜♯１０の冷却水開閉装置１７２に対して、冷却水開閉装置１７２が閉じられるときの各冷却水開閉装置１７２の優先順位が記憶されている。
【００４０】
例えば鋼種がＳＳ４００、板厚１２．０〜１７．０ｍｍのとき、熱間圧延機１５２に最も近い＃１の冷却水開閉装置１７２の優先順位が最も高く設定されており、最初に閉じられることを示している。さらに＃４の冷却水開閉装置１７２の優先順位が４、＃３の冷却水開閉装置１７２の優先順位が３、＃２の冷却水開閉装置１７２の優先順位が２、＃１の冷却水開閉装置１７２の優先順位が１に設定されており、熱間圧延機１５２に近い冷却水開閉装置１７２ほど高い優先順位が設定され、早く閉じられることを示している。
【００４１】
図４は、開モードインターバル格納部１０７の構成例を示した説明図である。
テーブルロール冷却装置１７１で水冷を開始するとき、鋼種、板厚に対して、ある冷却水開閉装置１７２を開放した後、次の冷却水開閉装置１７２を開放するまでの時間間隔が、インターバルとして記憶されている。
【００４２】
インターバルが小さいほど、次のゾーンのテーブルロール１７０の冷却を速やかに開始できるが、鋼板巻取り温度への外乱としての影響が大きくなる。
【００４３】
逆に、インターバルが大きいほど鋼板巻取り温度への影響は緩和されるが、テーブルロール１７０の一部について冷却しない時間が長くなり、テーブルロール１７０の寿命に影響を与える恐れがある。
【００４４】
図４の例では、鋼種がＳＳ４００、板厚１．２〜２．０ｍｍのときインターバルは３．０秒であり、優先順位が最も高いテーブルロール冷却装置１７１で水冷を開始した後、優先順位に従って、３．０秒毎に冷却水開閉装置１７２を順次開放していくことを示している。
【００４５】
また鋼種がＳＳ４００、板厚１２．０〜１７．０ｍｍのときインターバルは１．５秒であり、テーブルロール冷却装置１７１で水冷を開始した後、優先順位に従って、１．５秒毎に冷却水開閉装置１７２を順次開放していくことを示している。
【００４６】
薄板の鋼板１５１では、テーブルロール冷却水が鋼板温度に与える影響が大きいため、本実施の形態例ではインターバルを大きく設定し、影響を緩和している。
【００４７】
またＤＰ鋼は、鋼板巻取り温度が低いため、低速で通板され、テーブルロール冷却水が鋼板１５１に及ぼす影響が大きくなる。このため、ＤＰ鋼ではインターバルを大きく設定して、テーブルロール冷却水の鋼板温度に及ぼす影響を緩和している。
【００４８】
図５は、閉モードインターバル格納部１０８の構成例を示した説明図である。
テーブルロール冷却装置１７１で水冷を終了するとき、鋼種、板厚に対して、ある冷却水開閉装置１７２を閉じた後、次の冷却水開閉装置１７２を閉じるまでの時間間隔が、インターバルとして記憶されている。
【００４９】
図５の例では、鋼種がＤＰ−１、板厚１．２〜２．０ｍｍのときインターバルは２．０秒であり、テーブルロール冷却装置１７１で水冷を終了するとき、優先順位に従って、２．０秒毎に冷却水開閉装置１７２を順次閉じていくことを示している。
【００５０】
また鋼種がＤＰ−１、板厚１２．０〜１７．０ｍｍのときインターバルは１．０秒であり、優先順位に従って、１．０秒毎に冷却水開閉装置１７２を順次閉じていくことを示している。
【００５１】
本実施の形態では、インターバルを鋼種及び板厚毎に単一の値としたが、各優先順位間で異なった値としてもよい。すなわち例えば、優先順位１の冷却水開閉装置１７２を操作してから優先順位２の冷却水開閉装置１７２を操作するまでのインターバルと、優先順位２の冷却水開閉装置１７２を操作してから優先順位３の冷却水開閉装置１７２を操作するまでのインターバルを、異なった値にしてもよい。この場合でも、各インターバルの値を開モードインターバル格納部１０７と閉モードインターバル格納部１０８に格納しておくことで、本発明をそのまま適用できる。
【００５２】
［開モード開始タイミング決定部の処理］
図６は、開モード開始タイミング決定部１０３の処理を示すフローチャートである。
開モード開始タイミング決定部１０３は、テーブルロール冷却装置１７１が冷却を開始するタイミング（開モード開始タイミング）を決定し、テーブルロール冷却水制御部１１０に通知する。
【００５３】
まず開モード開始タイミング決定部１０３は、鋼板１５１の先端がダウンコイラ１５７直前のＨＭＤ１５６を通過したかどうかを判定する（ステップＳ１）。通過した場合には、開モード開始タイミング決定部１０３は、テーブルロール冷却水制御部１１０に対して、テーブルロール冷却装置１７１の注水開始（開モード動作開始）を通知する（ステップＳ２）。
【００５４】
本実施の形態例では、鋼板１５１の先端部がダウンコイラ１５７直前のＨＭＤ１５６を通過したタイミングを、テーブルロール冷却水制御部１１０の注水開始のタイミングとすることで、テーブルロール冷却水がＲＯＴ上のＨＭＤ１５６を誤動作させないようにしたが、この例に限られない。例えば、ダウンコイラ１５７に鋼板１５１の先端が巻付くタイミングを、注水開始のタイミングとしてもよい。ダウンコイラ１５７に鋼板１５１の先端が巻付くタイミングは、ＨＭＤ１５６の検出結果とミル１５３の圧延速度から算出できる。あるいは、ダウンコイラ１５７とミル１５３の間で鋼板１５１の張力が確立し、鋼板１５１が安定したことを、注水開始のタイミングとすることも考えられる。鋼板１５１の張力は、鋼板１５１に流した電流値が上がったことにより判断できる。
【００５５】
［閉モード開始タイミング決定部の処理］
図７は、閉モード開始タイミング決定部１０４の処理を示すフローチャートである。
閉モード開始タイミング決定部１０４は、テーブルロール冷却装置１７１が冷却の終了処理を開始するタイミング（閉モード開始タイミング）を決定し、テーブルロール冷却水制御部１１０に通知する。
【００５６】
まず閉モード開始タイミング決定部１０４は、ロードセル１５３ｗの検知結果に基づいて、鋼板１５１の尾端がミル１５３を抜けたかどうかを判定する（ステップＳ１１）。ミル１５３を抜けた場合（検知結果オフ）には、閉モード開始タイミング決定部１０４は、テーブルロール冷却水制御部１１０に対して、テーブルロール冷却装置１７１の注水終了（閉モード動作開始）を指示する（ステップＳ１２）。
【００５７】
本実施の形態例では、鋼板１５１の尾端がミル１５３を抜けたタイミングを、テーブルロール冷却水制御部１１０の注水終了処理を開始するタイミングとすることで、テーブルロール冷却水がＲＯＴ上における鋼板１５１の尾端検出のノイズにならないようにしたが、この例に限られない。例えば、冷却水開閉装置１７２の動作遅れを考慮して、鋼板１５１の尾端がミル１５３を抜けるタイミングに先立ったタイミングを、テーブルロール冷却水制御部１１０の注水終了処理を開始するタイミングとしてもよい。
【００５８】
[テーブルロール冷却水制御部の処理]
図８は、テーブルロール冷却水制御部１１０の処理を示すフローチャートである。
図８では、鋼板１５１の冷却を開始してから終了するまでの間の処理を示している。
【００５９】
現実の熱間圧延システム１では、鋼板１５１のＲＯＴ進入に先立って図８に示す処理が起動され、すべての冷却水開閉装置１７２が冷却を完了した後、この処理を終了する。これらが圧延される鋼板１５１に対して繰り返される。また本実施の形態例では簡単のため、冷却開始時に冷却水開閉装置１７２を一つずつ開き、冷却終了時には逆に冷却水開閉装置１７２を一つずつ閉じる場合を例に説明する。なお、本実施の形態例では、すべての冷却水開閉装置１７２を開く例を示すが、特定の冷却水開閉装置１７２を閉じたままとする運用も考えられる。
【００６０】
まずテーブルロール冷却水制御部１１０は、開モード開始タイミング決定部１０３から開モード開始タイミング信号を受信したかどうかを判定する（ステップＳ２１）。
【００６１】
テーブルロール冷却水制御部１１０は、開モード開始タイミング信号を受信したら、テーブルロール冷却装置１７１に対し、開モード優先順位格納部１０５から取り込んだ鋼板１５１の鋼種及び板厚に対応した各冷却水開閉装置１７２の優先順位に従って、冷却水開閉装置１７２を一つ開くための信号を出力する（ステップＳ２２）。
【００６２】
次に、テーブルロール冷却水制御部１１０は、すべての冷却水開閉装置１７２を開放済みか判定する（ステップＳ２３）。すべて開放済みの場合は、開放処理は終了であるからステップＳ２５に進む。
【００６３】
すべて開放済みでない場合は、テーブルロール冷却水制御部１１０は、開モードインターバル格納部１０７から鋼板１５１の鋼種及び板厚に対応したインターバルを取り込み、前回冷却水開閉装置１７２を開放してからインターバルに対応した時間が経過したかどうかを判定する（ステップＳ２４）。
【００６４】
インターバルに対応した時間が経過していない場合は、テーブルロール冷却水制御部１１０は、ステップＳ２４の判定処理を繰り返す。そして、インターバルに対応した時間が経過した場合は、テーブルロール冷却水制御部１１０は、ステップＳ２２に戻り、次の優先順位の冷却水開閉装置１７２を開放する処理を行う。以下、ステップＳ２２〜Ｓ２４の処理を繰り返す。
【００６５】
すべての冷却水開閉装置１７２の開放が完了したら、テーブルロール冷却水制御部１１０は、閉モード開始タイミング決定部１０４から閉モード開始タイミング信号を受信したかどうか判定する（ステップＳ２５）。
【００６６】
テーブルロール冷却水制御部１１０は、閉モード開始タイミング信号を受信したら、テーブルロール冷却装置１７１に対し、閉モード優先順位格納部１０６から取り込んだ鋼板１５１の鋼種及び板厚に対応した各冷却水開閉装置１７２の優先順位に従って、冷却水開閉装置１７２を一つ閉じるための信号を出力する（ステップＳ２６）。
【００６７】
次に、テーブルロール冷却水制御部１１０は、すべての冷却水開閉装置１７２を閉じたかどうかを判定する（ステップＳ２７）。すべての冷却水開閉装置１７２を閉じた場合は、冷却水開閉装置１７２を閉じる処理は終了なので、鋼板１５１に対するテーブルロール冷却水制御部１１０の処理を終了する。
【００６８】
すべて閉じていない場合は、テーブルロール冷却水制御部１１０は、閉モードインターバル格納部１０８から鋼板１５１の鋼種及び板厚に対応したインターバルを取り込み、前回冷却水開閉装置１７２を閉じてからインターバルに対応した時間が経過したかどうかを判定する（ステップＳ２８）。
【００６９】
インターバルに対応した時間が経過していないときは、テーブルロール冷却水制御部１１０は、ステップ２８の判定処理を繰り返す。そして、インターバルに対応した時間が経過したときは、テーブルロール冷却水制御部１１０は、ステップＳ２６に移行し、次の優先順位の冷却水開閉装置１７２を閉じる処理を行う。以下、ステップＳ２６〜ステップＳ２８の処理を繰り返す。
【００７０】
上述したように、テーブルロール冷却水制御部１１０は、開モード開始タイミング決定部１０３からの開モード開始タイミング信号で注水を開始し、開モード優先順位格納部１０５から取り込んだ優先順位に従って冷却水開閉装置１７２を開いていく。このとき、開モードインターバル格納部１０７から取り込んだ時間間隔で、冷却水開閉装置１７２を開く。また、閉モード開始タイミング決定部１０４からの閉モード開始タイミング信号で注水終了の動作を終了し、閉モード優先順位格納部１０６から取り込んだ優先順位に従って冷却水開閉装置１７２を閉じていく。このとき、閉モードインターバル格納部１０８から取り込んだ時間間隔で、冷却水開閉装置１７２を閉じる。
【００７１】
本実施の形態では、テーブルロール冷却装置１７１の複数の冷却水開閉装置１７２を、鋼板１５１の巻取り温度への影響を考慮した優先順位及び時間間隔に基づいてシーケンシャルに開閉する。このときＲＯＴのゾーン毎に巻取り温度への影響が最小となる順番に、冷却水開閉装置１７２を開又は閉動作させる。また、開閉の動作のインターバルを鋼板の厚み、速度に応じて変更し、鋼板１５１の巻取り温度への影響のバラツキを最小化している。
【００７２】
上記のように構成される本実施の形態によれば、冷却水開閉装置１７２の開閉によるテーブルロール冷却水の噴射及び停止が鋼板１５１の先端および尾端の検出に影響を及ぼすことがない、すなわち、ＨＭＤ１５６の誤動作を防止できる。これに加えて、鋼板１５１の巻取り温度に及ぼす影響を一定範囲内に維持される。
【００７３】
本実施の形態は、熱間圧延システム１における巻取り冷却工程において、簡単なテーブルの読出しに基づいて段階的に順次冷却水開閉装置１７２を開閉することにより、テーブルロール冷却水の鋼板温度への影響を所定の範囲（例えば目標温度の±１０％）に制御でき、この結果、鋼板１５１の長手方向で巻取り温度を高精度化できる。
【００７４】
このように熱間圧延後の鋼板１５１の巻取り温度制御において、鋼板１５１の長手方向のどの部位においても、高精度な巻取り温度が得られる。この結果、鋼板１５１の組成品質を向上させることができ、同時に、良好な鋼板形状を得ることができる。
【００７５】
なお、図８において、予め設定した優先順位に従って各冷却水開閉装置１７２を開閉する処理を実行しているが、各冷却水開閉装置１７２を開くとき又は閉じるときのいずれかにのみ適用してもよい。
【００７６】
＜２．第２の実施の形態＞
図９は、本発明の第２の実施の形態に係る熱間圧延システム１Ａの構成例を示した説明図である。
本実施の形態では、第１の実施の形態のような予め定められたインターバルでなく、巻取り温度（鋼板温度）の実績値と目標値との偏差を監視しながら、冷却水開閉装置１７２を開閉する構成としている。
【００７７】
図９に示すように熱間圧延システム１Ａは、熱間圧延制御装置１００Ａと、制御対象１５０とから構成される。熱間圧延制御装置１００Ａは、熱間圧延制御装置１００と比較して、開モードインターバル格納部１０７及び閉モードインターバル格納部１０８の代わりに、巻取り温度偏差算出部９０１と巻取り温度制御部９０３を備える点が大きな違いである。
【００７８】
巻取り温度偏差算出部９０１は、上位計算機５０から指令受信部１０１を介して受け取った目標巻取り温度Ｔｃ＿ｔａｒｇｅｔと、巻取り温度計１５５から実績収集部１０２を介して受け取った実績巻取り温度Ｔｃ＿ａｃｔの偏差ΔＴｃを、式（１）により算出する。そして、算出した偏差ΔＴｃをテーブルロール冷却水制御部９０２に出力する。
【００７９】
[数１]
ΔＴｃ＝Ｔｃ＿ａｃｔ−Ｔｃ＿ｔａｒｇｅｔ    ・・・・（１）
【００８０】
巻取り温度制御部９０３は、巻取り温度偏差算出部９０１で算出された偏差ΔＴｃに基づいて、ラミナー冷却装置１６０及びスプレー冷却装置１６３の動作を制御する。なお、巻取り温度制御部９０３は、制御対象１５０内に設けられていてもよい。
【００８１】
テーブルロール冷却水制御部１１０は、指令受信部１０１からのテーブルロール１７０の冷却制御の指令を受信すると、開モード開始タイミング決定部１０３及び閉モード開始タイミング決定部１０４からの信号に従い、冷却水開閉装置１７２の開閉を行う。このとき、開モード優先順位格納部１０５及び閉モード優先順位格納部１０６の設定値、及び巻取り温度偏差算出部９０１で算出された偏差ΔＴｃを用いて、冷却水開閉装置１７２の開閉を制御する。
【００８２】
図１０は、テーブルロール冷却水制御部９０２が実行する処理を示すフローチャートである。
【００８３】
まずテーブルロール冷却水制御部９０２は、開モード開始タイミング決定部１０３から開モード開始タイミング信号を受信したかどうかを判定する（ステップＳ３１）。
【００８４】
テーブルロール冷却水制御部９０２は、開モード開始タイミング信号を受信したら、テーブルロール冷却装置１７１に対し、開モード優先順位格納部１０５から取り込んだ鋼板１５１の鋼種及び板厚に対応した各冷却水開閉装置１７２の優先順位に従って、冷却水開閉装置１７２を開くための信号を出力する（ステップＳ３２）。
【００８５】
次に、テーブルロール冷却水制御部９０２は、すべての冷却水開閉装置１７２を開放済みか判定する（ステップＳ３３）。すべて開放済みの場合は、開放処理は終了であるからステップＳ３６に進む。
【００８６】
すべて開放済みでない場合は、テーブルロール冷却水制御部９０２は、応答時間が経過したかどうかを判定する（ステップＳ３４）。応答時間とは、冷却水開閉装置１７２を閉から開に操作したとき、その影響が巻取り温度計１５５に現れるまでの時間であり、式（２）により算出される。
【００８７】
ｔ＝Ｌ／Ｖ＋ｔ０    ・・・・（２）
ｔ：応答時間（ｓ）、Ｖ：鋼板速度（ｍ／ｓ）、ｔ０：巻取り温度計の温度検出時間
Ｌ：閉から開又は開から閉に操作した冷却水開閉装置１７２から巻取り温度計１５５
までの距離（ｍ）
複数の冷却水開閉装置１７２を操作したときは、巻取り温度計１５５から最も遠い
冷却水開閉装置１７２から巻取り温度計１５５までの距離
【００８８】
応答時間が経過していない場合は、テーブルロール冷却水制御部９０２は、ステップＳ３４で応答時間の経過を待ち、応答時間が経過した場合は巻取り温度の偏差ΔＴｃが許容値より小さいかどうかを判定する（ステップＳ３５）。許容値は、一例として±１０度
【００８９】
本実施の形態例において、許容値は鋼板１５１に対応付けられた値である。テーブルロール冷却水制御部９０２は、許容値を上位計算機５０から指令受信部１０１を介して受け取るが、定数として熱間圧延制御装置１００の不図示の不揮発メモリで記憶しておいてもよい。偏差ΔＴｃが許容値より小さくない場合は、テーブルロール冷却水制御部９０２は、ステップＳ３５の判定処理を繰り返す。偏差ΔＴｃが許容値より小さい場合は、テーブルロール冷却水制御部９０２は、ステップＳ３２に戻り、次の優先順位の冷却水開閉装置１７２を開放する処理を行う。以下、ステップＳ３２〜ステップＳ３５の処理を繰り返す。
【００９０】
次に、すべての冷却水開閉装置１７２の開放が完了したら、テーブルロール冷却水制御部９０２は、閉モード開始タイミング決定部１０４から閉モード開始タイミング信号を受信したかどうか判定する（ステップＳ３６）。
【００９１】
テーブルロール冷却水制御部９０２は、閉モード開始タイミング信号を受信したら、テーブルロール冷却装置１７１に対し、閉モード優先順位格納部１０６から取り込んだ鋼板１５１の鋼種及び板厚に対応した各冷却水開閉装置１７２の優先順位に従って、冷却水開閉装置１７２を閉じるための信号を出力する（ステップＳ３７）。
【００９２】
次に、テーブルロール冷却水制御部９０２は、すべての冷却水開閉装置１７２を閉じたかどうかを判定する（ステップＳ３８）。すべての冷却水開閉装置１７２を閉じた場合は、冷却水開閉装置１７２を閉じる処理は終了なので、鋼板１５１に対するテーブルロール冷却水制御部９０２の処理を終了する。
【００９３】
すべて閉じていない場合は、テーブルロール冷却水制御部９０２は、応答時間が経過したかどうかを判定する（ステップＳ３９）。応答時間は、ステップＳ３４と同様に、式（２）により算出すればよい。
【００９４】
応答時間が経過していない場合は、テーブルロール冷却水制御部９０２は、ステップＳ３４で応答時間の経過を待ち、応答時間が経過した場合は巻取り温度の偏差ΔＴｃが許容値より小さいかどうかを判定する（ステップＳ４０）。
【００９５】
偏差ΔＴｃが許容値より小さくない場合は、テーブルロール冷却水制御部９０２は、ステップＳ４０の判定処理を繰り返す。偏差ΔＴｃが許容値より小さい場合は、テーブルロール冷却水制御部９０２は、ステップＳ３７に戻り、次の優先順位の冷却水開閉装置１７２を閉じる処理を行う。以下、ステップＳ３７〜ステップＳ４０の処理を繰り返す。
【００９６】
本実施の形態は、第１の実施の形態の作用効果に加えて以下の効果を奏する。
本実施の形態では、巻取り温度の実績値と目標値との偏差Δｔｃを監視しながら、冷却水開閉装置１７２の開閉を制御するようにしているので、鋼板１５１の巻取り温度を確認しながら、冷却水開閉装置１７２の開閉を制御することができる。このように、実際の鋼板１５１の状態を反映して冷却水開閉装置１７２の開閉が行われるため、鋼板１５１の長手方向のどの部位においても、高精度な巻取り温度が得られる。
【００９７】
なお、図１０において、巻取り温度の実績値と目標値との偏差を監視しながら、各冷却水開閉装置１７２を開閉する処理を実行しているが、各冷却水開閉装置１７２を開くとき又は閉じるときのいずれかにのみ適用してもよい。
【００９８】
＜３．第３の実施の形態＞
本発明の第３の実施の形態例では、開モード優先順位格納部１０５と閉モード優先順位格納部１０６に格納する優先順位として、冷却水開閉装置番号に同一の優先順位が付与された例を示す。すなわち、本実施の形態において、複数の冷却水開閉装置１７２を同一タイミングでまとめて開閉する。
【００９９】
図１１は、開モード優先順位格納部１０５の構成例を示した説明図である。
図１１は、開モード優先順位格納部１０５の例で、鋼種、板厚および１〜１０の冷却水開閉装置番号に対して、冷却水開閉装置１７２が開放されるときの各冷却水開閉装置１７２の優先順位が記憶されている。例えば鋼種がＳＳ４００、板厚１．２〜２．０ｍｍのとき、＃１、＃２、＃３の優先順位は３で同一の値が付与されている。テーブルロール冷却水制御部９０２の制御の下で冷却水開閉装置１７２を開放していくとき、同一の優先順位の冷却水開閉装置１７２は同時に開放される。
【０１００】
図１２は、閉モード優先順位格納部１０６の構成例を示した説明図である。
鋼種、板厚および♯１〜♯１０の冷却水開閉装置１７２に対して、冷却水開閉装置１７２が閉じられるときの各冷却水開閉装置１７２の優先順位が記憶されている。例えば鋼種がＤＰ−１、板厚１．２〜２．０ｍｍのとき、＃２と＃３の冷却水開閉装置１７２の優先順位に同一の値である２が付与されている。同様に、テーブルロール冷却水制御部９０２の制御の下で冷却水開閉装置１７２を閉じていくとき、同一の優先順位の冷却水開閉装置１７２は同時に閉じられる。
【０１０１】
本実施の形態は、第１の実施の形態の作用効果に加えて以下の効果を奏する。本実施の形態では、優先順位が同じ冷却水開閉装置１７２に対し同時に開閉の制御を行うことができる。巻取り温度制御の観点からは複数の冷却水開閉装置１７２を同時に開閉することが望ましい。鋼板１５１の板厚がより厚い方が冷却水が噴射されたときの温度変動が小さく、冷却水開閉装置１７２の開閉による影響が少ないため、本実施の形態は、板厚の厚い鋼板１５１の巻取り温度の制御に有利である。
【０１０２】
＜４．その他＞
なお、第１又は第３の実施の形態において、少なくとも各冷却水開閉装置１７２を開くときには一定の条件（鋼種又は板厚ごとの優先順位、あるいは巻取り温度の偏差と許容値との関係）を満たす時間間隔で、各冷却水開閉装置１７２を開く制御を行う構成であれば、各冷却水開閉装置１７２を閉じる順序は上述した優先順位に従った順序又は任意の順序でもよい。例えば、優先順位に従って各冷却水開閉装置１７２を順番に開き、各冷却水開閉装置１７２を閉じるときには一斉に閉じてもよい。
【０１０３】
また、本発明は上記の実施の形態例に限定されるものではなく、特許請求の範囲に記載した本発明の要旨を逸脱しない限りにおいて、他の変形例、応用例を含む。本発明は、熱間圧延巻取り温度制御ラインの冷却制御に広く適用することができる。
【０１０４】
例えば、上記した実施の形態例は本発明をわかりやすく説明するために詳細に説明したものであり、必ずしも説明した全ての構成を備えるものに限定されるものではない。また、ある実施の形態例の構成の一部を他の実施の形態例の構成に置き換えることが可能であり、また、ある実施の形態例の構成に他の実施の形態例の構成を加えることも可能である。また、各実施の形態例の構成の一部について、他の構成の追加・置換、削除をすることが可能である。
【０１０５】
また、制御線や情報線は説明上必要と考えられるものを示しており、製品上必ずしもすべての制御線や情報線を示しているとは限らない。実際には殆ど全ての構成が相互に接続されていると考えてもよい。
【０１０６】
また、上記の各構成、機能、処理部、処理部等は、それらの一部又は全部を、例えば集積回路で設計する等によりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、光ディスク等の記録媒体に保持することができる。
【０１０７】
図１３は、上述した一連の処理をプログラムにより実行するコンピュータ（例えば、パーソナルコンピュータ）のハードウェアの構成例を示すブロック図である。
【０１０８】
コンピュータにおいて、ＣＰＵ２０１，ＲＯＭ（Read Only Memory）２０２，ＲＡＭ２０３は、バス２０４により相互に接続されている。
【０１０９】
バス２０４には、さらに、入出力インターフェース２０５が接続されている。入出力インターフェース２０５には、キーボード、マウス、マイクロホンなどよりなる入力部２０６、ディスプレイ、スピーカなどよりなる出力部２０７、ハードディスクや不揮発性のメモリなどよりなる記録部２０８、ネットワークインターフェースなどよりなる通信部２０９が接続されている。さらに、磁気ディスク、光ディスク、光磁気ディスク、或いは半導体メモリなどのリムーバブルメディア２１１を駆動するドライブ２１０が接続されている。
【０１１０】
以上のように構成されるコンピュータでは、ＣＰＵ２０１が、例えば、記録部２０８に記録されているプログラムを、入出力インターフェース２０５及びバス２０４を介して、ＲＡＭ２０３にロードして実行することにより、上述した一連の処理が行われる。
【０１１１】
コンピュータ（ＣＰＵ２０１）が実行するプログラムは、例えば、磁気ディスク（フレキシブルディスクを含む）、光ディスク（ＣＤ−ＲＯＭ（Compact Disc-Read Only Memory），ＤＶＤ（Digital Versatile Disc）等）、光磁気ディスク、もしくは半導体メモリなどよりなるパッケージメディアであるリムーバブルメディア２１１に記録して、あるいは、ローカルエリアネットワーク、インターネット、デジタル衛星放送といった、有線または無線の伝送媒体を介して提供される。
【０１１２】
そして、プログラムは、リムーバブルメディア２１１をドライブ２１０に装着することにより、入出力インターフェース２０５を介して、記録部２０８にインストールすることができる。また、プログラムは、有線または無線の伝送媒体を介して、通信部２０９で受信し、記録部２０８にインストールすることができる。その他、プログラムは、ＲＯＭ２０２や記録部２０８に、あらかじめインストールしておくことができる。
【０１１３】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであってもよい。
【符号の説明】
【０１１４】
１，１Ａ…熱間圧延システム、  １００，１００Ａ…熱間圧延制御装置、  １０１…実績収集部、  １０２…指令受信部、  １０３…開モード開始タイミング決定部、  １０４…閉モード開始タイミング決定部、  １０５…開モード優先順位格納部、  １０６…閉モード優先順位格納部、  １０７…開モードインターバル格納部、  １０８…閉モードインターバル格納部、  １１０…テーブルロール冷却水制御部、  １５０…制御対象、  １５１…鋼板、  １５２…熱間圧延機、  １５５…巻取り温度計、  １５７…ダウンコイラ、１６０…ラミナー冷却装置、  １７０…テーブルロール、  １７１…テーブルロール冷却装置、  １７２…冷却水開閉装置、  ９０１…巻取り温度偏差算出部、  ９０２…テーブルロール冷却水制御部、  ９０３…巻取り温度制御部
【図１】
2015093301.tif 000003
【図２】
2015093301.tif 000004
【図３】
2015093301.tif 000005
【図４】
2015093301.tif 000006
【図５】
2015093301.tif 000007
【図６】
2015093301.tif 000008
【図７】
2015093301.tif 000009
【図８】
2015093301.tif 000010
【図９】
2015093301.tif 000011
【図１０】
2015093301.tif 000012
【図１１】
2015093301.tif 000013
【図１２】
2015093301.tif 000014
【図１３】
2015093301.tif 000015